(57)【特許請求の範囲】
【請求項１】
上端が折板屋根等に固定され、下端に軒樋を吊るすようにした吊りボルトを備えた折板屋根等吊り具を補強するための折板屋根等吊り具用補強具であって、
上記吊りボルトと略同等またはやや短めの長さを有する補強杆体を備え、該補強杆体の上下端に上記吊りボルトを抱持する抱持体を設けた構成とされ、
上記抱持体は、２つの半割抱持体で構成され、該半割抱持体の一方が、上記補強杆体と一体に形成され、該補強杆体が上記吊りボルトに対して平行に取り付けられるようになっていることを特徴とする折板屋根等吊り具用補強具。
【請求項２】
上端が折板屋根等に固定され、下端に軒樋を吊るすようにした吊りボルトを備えた折板屋根等吊り具を補強するための折板屋根等吊り具用補強具であって、
上記吊りボルトと略同等またはやや短めの長さを有する補強杆体を備え、該補強杆体の上下端に上記吊りボルトを抱持する抱持体を設けた構成とされ、
上記抱持体は、２つの半割抱持体で構成され、該両半割抱持体がともに、上記補強杆体と別体に形成され、該補強杆体が上記吊りボルトに対して平行に取り付けられるようになっていることを特徴とする折板屋根等吊り具用補強具。
【請求項３】
請求項１または２において、
上記抱持体は、上記２つの半割抱持体がヒンジ構造により開閉自在に連結されている折板屋根等吊り具用補強具。
【発明の詳細な説明】
【技術分野】
【０００１】
本発明は、上端が折板屋根等に固定され、下端に軒樋を吊るすようにした吊りボルトを備えた折板屋根等吊り具を補強するための折板屋根等吊り具用補強具に関する。
【背景技術】
【０００２】
折板屋根を施工した建物では、軒樋を取り付けるために、折板屋根に吊り下げ固定される吊りボルトと、その吊りボルトの下端に連結される、軒樋を吊るす構造とした軒樋吊り具とよりなる折板屋根等吊り具を用いることが一般的である（特許文献１参照）。
【０００３】
このような折板屋根等吊り具は、軒樋の荷重が１本の吊りボルトにかかるため、軒樋が強風にあおられたときに吊りボルトが折れ曲がることがあったため、補強用の種々の補強構造が提案されていた。
【０００４】
例えば特許文献１に記載されたものは、吊りボルトの上端と、軒樋吊り具の樋耳保持部とを、吊りボルトに略平行な帯状の折曲板体よりなる補強腕部（折板屋根等吊り具用補強具）で連結して吊りボルトの補強を図っている。この折板屋根等吊り具用補強具によれば、少ない材料で製されているため、低コストで吊りボルトの補強を実現することができる。
【先行技術文献】
【特許文献】
【０００５】
【特許文献１】特開２００８−６３８０６号公報
【発明の概要】
【発明が解決しようとする課題】
【０００６】
しかしながら、特許文献１の折板屋根等吊り具用補強具は構造が複雑であるため、取付作業に時間を要することが想定され、さらにまた、折板屋根等吊り具用補強具の下端が軒樋吊り具に連結され、軒樋吊り具を介して吊りボルトを補強する構造となっているため、吊りボルト自体を直接的に補強する構造として十分であるとはいえない。
【０００７】
本発明は、このような問題点を解決すべく提案されたもので、その目的は、施工が簡単で、吊りボルトを直接的に補強でき、かつ少ない材料で形成できる折板屋根等吊り具用補強具を提供することにある。
【課題を解決するための手段】
【０００８】
上記目的を達成するために、請求項１に記載の折板屋根等吊り具用補強具は、上端が折板屋根等に固定され、下端に軒樋を吊るすようにした吊りボルトを備えた折板屋根等吊り具を補強するための折板屋根等吊り具用補強具であって、吊りボルトと略同等またはやや短めの長さを有する補強杆体を備え、該補強杆体の上下端に上記吊りボルトを抱持する抱持体を設けた構成とされ、抱持体は、２つの半割抱持体で構成され、該半割抱持体の一方が、補強杆体と一体に形成され、該補強杆体が上記吊りボルトに対して平行に取り付けられるようになっていることを特徴とする。
【０００９】
請求項２に記載の折板屋根等吊り具用補強具は、上端が折板屋根等に固定され、下端に軒樋を吊るすようにした吊りボルトを備えた折板屋根等吊り具を補強するための折板屋根等吊り具用補強具であって、吊りボルトと略同等またはやや短めの長さを有する補強杆体を備え、該補強杆体の上下端に上記吊りボルトを抱持する抱持体を設けた構成とされ、抱持体は、２つの半割抱持体で構成され、該両半割抱持体がともに、上記補強杆体と別体に形成され、該補強杆体が上記吊りボルトに対して平行に取り付けられるようになっていることを特徴とする。
【００１０】
（削除）
【００１１】
請求項３に記載の折板屋根等吊り具用補強具は、抱持体は２つの半割抱持体がヒンジ構造により開閉自在に連結されている。
【発明の効果】
【００１２】
請求項１または２に記載の折板屋根等吊り具用補強具によれば、補強杆体を上下の抱持体を介して吊りボルトに固定できる構造であるため、吊りボルトを直接的に補強でき、吊りボルトの変形を確実に防止できる。また、折板屋根等吊り具用補強具を棒状または長板状の補強杆体と、上下の抱持体とより構成できるので、少ない材料で形成することができる。
【００１３】
また、請求項１に記載の折板屋根等吊り具用補強具によれば、抱持体を構成する２つの半割抱持体の一方が補強杆体と一体に形成されているので、一体化された半割抱持体を吊りボルトにあてがいやすく、施工を簡単に行える。
【００１４】
また、請求項２に記載の折板屋根等吊り具用補強具によれば、抱持体を構成する２つの半割抱持体が補強杆体と別体で、一対の部材として形成されているので、取り扱いがしやすい。
【００１５】
請求項３に記載の折板屋根等吊り具用補強具によれば、抱持体を構成する２つの半割抱持体がヒンジ構造により開閉自在に連結されているので、半割抱持体同士の固定の手間が省け、施工時間の短縮化が図れる。
【図面の簡単な説明】
【００１６】
【図１】本発明の折板屋根等吊り具用補強具の第１実施形態を示す分解斜視図である。
【図２】同実施形態の折板屋根等吊り具用補強具の使用状態を示す正面図である。
【図３】本発明の折板屋根等吊り具用補強具の第２実施形態を示す分解斜視図である。
【図４】本発明の折板屋根等吊り具用補強具の第３実施形態を示す分解斜視図である。
【図５】本発明の折板屋根等吊り具用補強具の第４実施形態を示す分解斜視図である。
【発明を実施するための形態】
【００１７】
以下に、本発明の実施形態について、添付図面を参照しながら説明する。
【００１８】
本発明の折板屋根等吊り具用補強具は、折板屋根等の軒先部に取り付けて使用するもので、軒樋等を軒先に吊り下げ保持する折板屋根等吊り具を補強する補強具である。なお、以下では折板屋根等吊り具用補強具の取付対象として折板屋根を例示しているが、他の波形屋根や平板屋根にも取り付けることができる。
【００１９】
図１は、本発明の折板屋根等吊り具用補強具の第１実施形態を示す分解斜視図である。図２は、同実施形態の折板屋根等吊り具用補強具の使用状態を示す正面図である。
【００２０】
折板屋根等吊り具用補強具１０の取付対象である折板屋根等吊り具２０は、折板屋根３０の軒先部３０ａに吊り下げ固定される吊りボルト２１と、吊りボルト２１の下部に連結した軒樋吊り具２２とを備えており、吊りボルト２１の上部において、防水パッキン２５、山座２４を介して上下のナット２３、２６で固定される構造となっている（図２参照）。なお、軒樋吊り具２２は、金属等の板片で製され、その略中央部で吊りボルト２１と連結されており、その前後（図中、左右に対応）に、軒樋（不図示）の前耳、後耳を保持する樋耳保持部２２ａ、２２ａを備えている。
【００２１】
一方、折板屋根等吊り具用補強具１０は、折板屋根等吊り具２０を補強するもので、特に吊りボルト２１に対して添え木のごとく取り付けられる。
【００２２】
すなわち、折板屋根等吊り具用補強具１０は、図１に示すように、吊りボルト２１の添え木として作用する補強杆体１１と、この補強杆体１１を吊りボルト２１に連結するための上下一対の抱持体１２、１２とより構成されている。
【００２３】
それぞれの抱持体１２は、金属材、硬質樹脂材等の硬質な材料よりなる２つの半割抱持体１２Ａ、１２Ａで構成され、その一方は、金属材、硬質樹脂材等の硬質な板材よりなる補強杆体１１の上下部に連設一体成形されている。半割抱持体１２Ａの中央に位置する湾曲凹部（外面が凸部）に形成された抱持部１２ａの両側には、ボルトＢ、ナットＮで固定するためのボルト挿通孔１２ｂａを有した固定部１２ｂ、１２ｂが形成されている。
【００２４】
一方、補強杆体１１は、金属材、硬質樹脂材等の硬質な材料よりなり、吊りボルト２１の全長または上部を強化するために、吊りボルト２１と略同等またはやや短めの長さに形成され、上記のように上下に半割抱持体１２Ａを連設一体化して、全体としてコ字形となっている。
【００２５】
この折板屋根等吊り具用補強具１０は、図１、図２に示すように、補強杆体１１に連設された半割抱持体１２Ａの抱持部１２ａを吊りボルト２１にあてがって、さらに、分離形成された半割抱持体１２Ａで吊りボルト２１を挟み込み、上下に移動しないように固定することで、補強杆体１１が吊りボルト２１に平行な状態で固定される。
【００２６】
具体的には、折板屋根等吊り具用補強具１０は、上の抱持体１２の上端が折板屋根３０の裏面に接触し、その抱持体１２と、折板屋根３０の上面側に配され、吊りボルト２１に螺合したナット２３、山座２４、防水パッキン２５との間に折板屋根３０を挟み込み、該ナット２３と、上の抱持体１２の下側に配したナット２６とで締め付けて、上の抱持体１２および補強杆体１１が吊りボルト２１の上部に固定される取付構造となっている。なお、下の抱持体１２の下側でナット２６止めしてもよい。また、図２中、３１は吊りボルト挿通孔である。
【００２７】
このように、折板屋根等吊り具用補強具１０は吊りボルト２１に対して平行に、かつ安定して取り付けられるので、吊りボルト２１を直接的に補強でき、吊りボルト２１の変形を確実に防止できる。また、折板屋根等吊り具用補強具１０を棒状または長板状の補強杆体１１と、上下の抱持体１２、１２とより構成できるので、少ない材料で形成することができる。
【００２８】
さらに、補強杆体１１は一方の半割抱持体１２Ａが一体化され、吊りボルト２１に対して取り付けやすくなっているので、施工を簡単、迅速に行える。また、折板屋根等吊り具用補強具１０がコ字形になっているので、補強杆体１１をハンドルのごとく片手で持って吊りボルト２１へあてがえば、その後の他方の半割抱持体１２Ａの固定作業が迅速にでき、施工が簡易に行える。
【００２９】
ついで、本発明の第２〜第４実施形態について、図３〜図５に示した分解斜視図を参照しながら説明する。なお、これらの実施形態についての使用状態については、第１実施形態とほぼ同様であるため、図示を省略する。また、これらの実施形態では、第１実施形態と同様の構成については同一の符号を各図に付して、その説明を省略する。
【００３０】
これらの折板屋根等吊り具用補強具１０も、吊りボルト２１と略同等またはやや短めの長さを有する補強杆体１１と、補強杆体１１の上下端に吊りボルト２１を抱持する抱持体１２とを備えている。したがって、第１実施形態と同様に、補強杆体１１は吊りボルト２１に対して平行に、かつ安定して取り付けられる。そのため、折板屋根等吊り具用補強具１０は吊りボルト２１を直接的に補強でき、吊りボルト２１の変形を確実に防止できる。
【００３１】
第２実施形態では、抱持体１２は、第１実施形態と同様に２つの半割抱持体１２Ａ、１２Ａで構成されているが、いずれも補強杆体１１とは別体に形成されている。また、半割抱持体１２Ａの抱持部１２ａの両側には、ボルト挿通孔１２ｂａを有した固定部１２ｂが形成されている（図３参照）。
【００３２】
一方、補強杆体１１は、その上下に、抱持体１２とボルト止めするためのボルト挿通孔１１ａａを有した固定部１１ａが折曲形成されており、その固定部１１ａを抱持体１２の両固定部１２ｂ、１２ｂで挟み込んでボルト止めできるようになっている。
【００３３】
こうして、補強杆体１１は上下において、抱持体１２によって吊りボルト２１に平行に、かつしっかりと固定できるので、第１実施形態と同様の補強効果を期待できる。また、同様に少ない材料で形成することもできる。さらに、第２実施形態の折板屋根等吊り具用補強具１０によれば、抱持体１２を構成する２つの半割抱持体１２Ａ、１２Ａが補強杆体１１と別体で、一対の部材として形成されているので、取り扱いがしやすい。
【００３４】
また、第３実施形態の折板屋根等吊り具用補強具１０は、補強杆体１１が第２実施形態（図３）と同様の形状をなし、また抱持体１２は補強杆体１１とは別体の２つの半割抱持体１２Ａ、１２Ａで構成されているが、２つの半割抱持体１２Ａ、１２Ａがヒンジ構造１２ｃにより開閉自在に連結されている点が第２実施形態のものと相異する（図４参照）。
【００３５】
２つの半割抱持体１２Ａ、１２Ａがヒンジ構造１２ｃで開閉自在となっているので、図４に示すように、吊りボルト２１を容易に抱持することができ、その状態で、ボルト挿通孔１２ｂａを有した固定部１２ｂ間に補強杆体１１の固定部１１ａを差し入れれば簡易にボルト止めすることができる。また、半割抱持体１２Ａ、１２Ａ同士がヒンジ結合されているので、ボルト止めは一方のみでよく、固定の手間が省け、短時間で施工できる。
【００３６】
さらに、第４実施形態の折板屋根等吊り具用補強具１０は、抱持体１２が第３実施形態（図４）と同様に２つの半割抱持体１２Ａ、１２Ａで構成され、それらがヒンジ結合されているが、その一方の半割抱持体１２Ａは第１実施形態と同様に、補強杆体１１と一体に形成されている（図５参照）。
【００３７】
すなわち、折板屋根等吊り具用補強具１０は、図５に示すように、補強杆体１１に半割抱持体１２Ａの一方が連設され、ヒンジ構造１２ｃを介して他方の半割抱持体１２Ａが連設されており、よって一体的な１つの部材で構成されている。
【００３８】
したがって、折板屋根等吊り具用補強具１０を吊りボルト２１に取り付けるときは、補強杆体１１を片手で持った状態で補強杆体１１に連設された半割抱持体１２Ａの抱持部１２ａを吊りボルト２１にあてがえば、あとはヒンジ結合された他方の半割抱持体１２Ａの固定部１２ｂを一方の半割抱持体１２Ａの固定部１２ｂに重ね合わせてボルト止めするだけでよく、きわめて簡易に作業を行える。
【００３９】
以上に説明した３実施形態では、折板屋根等吊り具用補強具１０の折板屋根等吊り具２０への取り付けをボルトＢ、ナットＮにより固定するようにしているが、リベットをかしめて固定するようにしてもよい。
【符号の説明】
【００４０】
１０      折板屋根等吊り具用補強具
１１      補強杆体
１１ａ      固定部
１１ａａ      ボルト挿通孔
１２      抱持体
１２Ａ      半割抱持体
１２ａ      抱持部
１２ｂ      固定部
１２ｂａ      ボルト挿通孔
１２ｃ      ヒンジ構造
Ｂ      ボルト
Ｎ      ナット
２０      折板屋根等吊り具
２１      吊りボルト
２２      軒樋吊り具
２２ａ      樋耳保持部
２３      ナット
２４      山座
２５      防水パッキン
２６      ナット
３０      折板屋根
３０ａ      軒先部
３１      吊りボルト挿通孔
【図１】
0005572468.tif 000002
【図２】
0005572468.tif 000003
【図３】
0005572468.tif 000004
【図４】
0005572468.tif 000005
【図５】
0005572468.tif 000006